(57)【要約】【課題】変形や破損が抑制された時計部品を提供する。【解決手段】文字板２１は、凹んだ収容部３３を有する板状に形成された基部３０と、基部３０とは異なる熱膨張率を有するガラス材料により形成され、収容部３３に配置された装飾部４０と、を備える。基部３０のうち収容部３３以外の部分には、基部３０に生じる応力を緩和する第１溝部３５および第２溝部３６が収容部３３に沿うように基部３０の表裏面それぞれに表裏対称に形成されている。【選択図】図４
2017161297.tif 000002
【特許請求の範囲】
【請求項１】
凹んだ収容部を有する基部と、
前記基部とは異なる熱膨張率を有する材料により形成され、前記収容部に配置された装飾部と、
を備え、
前記基部のうち前記収容部以外の部分には、前記基部に生じる応力を緩和する溝部が形成されている、
ことを特徴とする時計部品。
【請求項２】
前記溝部は、前記収容部に沿うように形成されている、
ことを特徴とする請求項１に記載の時計部品。
【請求項３】
前記基部は、板状に形成され、
前記溝部は、前記基部の表裏面にそれぞれ形成されている、
ことを特徴とする請求項１または２に記載の時計部品。
【請求項４】
前記溝部は、表裏対称に形成されている、
ことを特徴とする請求項３に記載の時計部品。
【請求項５】
前記溝部は、前記基部を貫通している、
ことを特徴とする請求項１から４のいずれか１項に記載の時計部品。
【請求項６】
前記基部は、金属材料により形成され、
前記装飾部は、ガラス材料により形成されている、
ことを特徴とする請求項１から５のいずれか１項に記載の時計部品。
【請求項７】
請求項１から６のいずれか１項に記載の時計部品を備えることを特徴とする文字板。
【請求項８】
請求項７に記載の文字板と、
前記文字板が取り付けられた下板と、
を備えることを特徴とする請求項７に記載の文字板ユニット。
【請求項９】
請求項８に記載の文字板ユニットを備えることを特徴とするムーブメント。
【請求項１０】
請求項９に記載のムーブメントを備えることを特徴とする時計。
【発明の詳細な説明】
【技術分野】
【０００１】
本発明は、時計部品、文字板、文字板ユニット、ムーブメントおよび時計に関するものである。
【背景技術】
【０００２】
従来、時計部品として、七宝ガラスを用いて装飾された文字板がある。このような文字板は、金属材料からなる基板の凹部に装飾用の七宝層を形成している。しかしながら、基板と七宝層とが異種材料により形成されているので、製造工程における焼成後の冷却時に、熱膨張率の違いにより基板および七宝層の収縮量に差が生じ、文字板に残留応力が発生する。これにより、文字板には、反りや寸法変化等の変形や、外力が加わった際の破損が生じることがあった。そこで、例えば特許文献１に記載の文字板は、金属からなる七宝基板の表面側に第１の凹部を、裏面側に第１の凹部と対応する第２の凹部をそれぞれ設け、第１の凹部内に装飾用の七宝層を、第２の凹部内に反り防止用の七宝層をそれぞれ形成することで、反りが発生しないようにしている。
【先行技術文献】
【特許文献】
【０００３】
【特許文献１】特開２０１２−２１７９６号公報
【発明の概要】
【発明が解決しようとする課題】
【０００４】
しかしながら、上記従来の方法では、残留応力のバランスをとることで反りを抑制しているので、文字板には依然として残留応力が発生しており、変形や破損が生じる場合があった。したがって、従来の時計部品にあっては、残留応力を低減させて変形や破損を抑制するという点で課題がある。
【０００５】
そこで本発明は、変形や破損が抑制された時計部品、文字板、文字板ユニット、ムーブメントおよび時計を提供するものである。
【課題を解決するための手段】
【０００６】
本発明の時計部品は、凹んだ収容部を有する基部と、前記基部とは異なる熱膨張率を有する材料により形成され、前記収容部に配置された装飾部と、を備え、前記基部のうち前記収容部以外の部分には、前記基部に生じる応力を緩和する溝部が形成されている、ことを特徴とする。
【０００７】
本発明によれば、基部に溝部が形成されていない構成と比較して、基部が溝部の両側部において薄肉となるので、溝部の両側部を弾性変形させることが可能となる。このため、基部において装飾部との熱膨張率の差により残留応力が生じた際に、溝部の両側部が弾性変形することで残留応力が緩和される。したがって、変形や破損が抑制された時計部品を提供できる。
【０００８】
上記の時計部品において、前記溝部は、前記収容部に沿うように形成されている、ことが望ましい。
【０００９】
本発明によれば、基部に生じる残留応力は、基部と装飾部との境界部近傍においてより大きくなるので、装飾部が配置された収容部に沿うように形成された溝部により、残留応力を効果的に緩和することができる。したがって、変形や破損がより確実に抑制された時計部品を提供できる。
【００１０】
上記の時計部品において、前記基部は、板状に形成され、前記溝部は、前記基部の表裏面にそれぞれ形成されている、ことが望ましい。
【００１１】
本発明によれば、基部の表裏面それぞれにおいて残留応力を緩和できるので、板状の基部に反りが生じることを抑制できる。したがって、残留応力による変形が抑制された時計部品を提供できる。
【００１２】
上記の時計部品において、前記溝部は、表裏対称に形成されている、ことが望ましい。
【００１３】
本発明によれば、表裏面それぞれにおいて残留応力を均等に緩和できるので、板状の基部に反りが生じることをより確実に抑制できる。したがって、残留応力による変形がより確実に抑制された時計部品を提供できる。
【００１４】
上記の時計部品において、前記溝部は、前記基部を貫通している、ことが望ましい。
【００１５】
本発明によれば、溝部の貫通方向におけるいずれの位置においても基部に生じる残留応力を緩和することできる。したがって、変形や破損がより確実に抑制された時計部品を提供できる。
【００１６】
上記の時計部品において、前記基部は、金属材料により形成され、前記装飾部は、ガラス材料により形成されている、ことが望ましい。
【００１７】
本発明によれば、時計部品の装飾性を向上させることができる。したがって、外観意匠性の優れた時計部品とすることができる。
【００１８】
本発明の文字板は、上記の時計部品を備えることを特徴とする。
【００１９】
本発明によれば、残留応力による変形や破損が抑制された高品質な文字板とすることができる。
【００２０】
本発明の文字板ユニットは、上記の文字板と、前記文字板が取り付けられた下板と、を備えることを特徴とする。
本発明のムーブメントは、上記の文字板ユニットを備えることを特徴とする。
本発明の時計は、上記のムーブメントを備えることを特徴とする。
【００２１】
本発明によれば、高品質な文字板ユニット、ムーブメントおよび時計を提供できる。
【発明の効果】
【００２２】
本発明によれば、基部に溝部が形成されていない構成と比較して、基部が溝部の両側部において薄肉となるので、溝部の両側部を弾性変形させることが可能となる。このため、基部において装飾部との熱膨張率の差により残留応力が生じた際に、溝部の両側部が弾性変形することで残留応力が緩和される。したがって、変形や破損が抑制された時計部品を提供できる。
【図面の簡単な説明】
【００２３】
【図１】第１実施形態に係る時計の平面図である。
【図２】図１のＩＩ−ＩＩ線における断面図である。
【図３】第１実施形態に係る文字板を裏側から見た平面図である。
【図４】図３のＩＶ−ＩＶ線における断面図である。
【図５】第１実施形態の第１変形例に係る文字板を裏側から見た平面図である。
【図６】図５のＶＩ−ＶＩ線における断面図である。
【図７】第１実施形態の第２変形例に係る文字板を裏側から見た平面図である。
【図８】第２実施形態に係る文字板の中心軸に沿う縦断面図である。
【図９】第３実施形態に係る文字板を裏側から見た平面図である。
【発明を実施するための形態】
【００２４】
以下、本発明の実施形態について図面を参照して説明する。
［第１実施形態］
最初に、第１実施形態について説明する。
図１は、第１実施形態に係る時計の平面図である。図２は、図１のＩＩ−ＩＩ線における断面図である。なお、図１および図２では、後述する文字板２１およびムーブメント１０を簡略化して図示している。
図１および図２に示すように、時計１は、機械式時計であって、時計ケース２内に、ムーブメント１０と、文字板ユニット２０と、を備えている。
【００２５】
時計ケース２は、ケース本体３、ケース裏蓋４、裏風防５、ベゼル６および風防７により形成されている。文字板ユニット２０と風防７との間には、時を示す時針８ａ、および分を示す分針８ｂが配置されている。また、時計１は、りゅうず９を備えている。りゅうず９は、時計ケース２の側方に設けられている。りゅうず９は、図示しない巻芯と一体化され、例えば時刻表示を修正する際に用いられる。なお、以下の説明では、ムーブメント１０の基板を構成する地板７１に対して時計ケース２の風防７側をムーブメント１０の「裏側」と称し、ケース裏蓋４側をムーブメント１０の「表側」と称する。
【００２６】
図２に示すように、ムーブメント１０は、金属材料により形成された地板７１と、地板７１の表側に配置された輪列受７２と、地板７１と輪列受７２との間に配置された図示しない輪列機構と、を有している。輪列機構は、動力源として回転する香箱車（不図示）、および香箱車の回転に基づいて回転する各種歯車体（筒車１１や二番車１２等）を含んでいる。ムーブメント１０は、筒車１１に取り付けられた時針８ａ、および二番車１２に取り付けられた分針８ｂを回転させる。ムーブメント１０は、地板７１とケース本体３とを締結する２本のネジ７３（１本は不図示）により、時計ケース２内に固定されている。
【００２７】
文字板ユニット２０は、時に関する情報を示す目盛り等を有する文字板２１（時計部品）と、文字板２１が取り付けられた下板２３と、を有している。文字板２１は、文字板ユニット２０における裏側に設けられ、時計１の外側から風防７を介して視認可能とされている。
【００２８】
図３は、第１実施形態に係る文字板を裏側から見た平面図である。図４は、図３のＩＶ−ＩＶ線における断面図である。なお、図４では、わかりやすくするために文字板２１の面方向における縮尺を適宜変更して図示している（以下の断面図についても同様）。
図３および図４に示すように、文字板２１は、収容部３３を有する基部３０と、収容部３３に配置された装飾部４０と、を備えている。なお、各図には図示しないが、文字板２１の裏面には、目盛りや文字が視認可能に設けられていてもよい。
【００２９】
基部３０は、金属材料により円板状に形成されている。基部３０を形成する金属材料は、高剛性であることが望ましく、例えば金や銀、銅、軟鋼、黄銅、燐青銅、洋白、ステンレス鋼等を用いることができる。基部３０は、切削加工や鍛造加工により形成されている。基部３０には、軸孔３１と、収容部３３と、第１溝部３５（溝部）と、第２溝部３６（溝部）と、が形成されている。
軸孔３１は、基部３０の中心をその厚さ方向に貫通している。軸孔３１は、筒車１１および二番車１２（いずれも図２参照）を挿通可能に形成されている。
【００３０】
収容部３３は、基部３０の表裏面それぞれに表裏対称に形成されている。各収容部３３は、基部３０の表裏面それぞれにおける外周部および内周部（軸孔３１の周縁部）を除く略全面に形成されている。各収容部３３は、基部３０の厚さ方向に凹んでいる。各収容部３３は、基部３０の中心軸に沿う縦断面視で矩形状に凹んでいる。各収容部３３の深さは、基部３０の厚さの半分未満となっている。これにより、基部３０は、表裏面に形成された収容部３３同士により貫通していない。
【００３１】
第１溝部３５は、表裏面の収容部３３それぞれの径方向外側（基部３０の外周部）において、収容部３３の外周に沿って表裏面それぞれに表裏対称に形成されている。裏面の第１溝部３５は、ベゼル６により裏側から覆われ、時計１の外側から風防７を介して視認できない位置に形成されている（図２参照）。各第１溝部３５は、縦断面視で矩形状に凹んでいる。各第１溝部３５の両側壁は、それぞれ基部３０の厚さ方向に平行になっている。各第１溝部３５の深さは、基部３０の厚さの半分未満であって、図示の例では収容部３３の深さと同等になっている。これにより、基部３０は、表裏面に形成された第１溝部３５同士により貫通していない。
【００３２】
第２溝部３６は、表裏面の収容部３３それぞれの径方向内側（基部３０の内周部）において、収容部３３の内周に沿って表裏面それぞれに表裏対称に形成されている。各第２溝部３６は、縦断面視で矩形状に凹んでいる。各第２溝部３６の両側壁は、それぞれ基部３０の厚さ方向に平行になっている。各第２溝部３６の深さは、基部３０の厚さの半分未満であって、図示の例では収容部３３の深さと同等になっている。これにより、基部３０は、表裏面に形成された第２溝部３６同士により貫通していない。
【００３３】
装飾部４０は、各収容部３３内にそれぞれ埋設されている。装飾部４０は、基部３０とは異なる熱膨張率を有する、例えば着色材を含んだ着色ガラス（いわゆる七宝）により形成されている。各装飾部４０は、それぞれ基部３０の表裏面と面一になっている。
【００３４】
図２に示すように、下板２３は、文字板２１とムーブメント１０との間に配置されている。下板２３は、金属材料等により、平面視で文字板２１と略同形の円板状に形成されている。下板２３には、その中心を厚さ方向に貫通する軸孔２３ａが形成されている。軸孔２３ａは、文字板２１の軸孔３１と同軸であり、同径以上の径になっている。また、下板２３の表側には、２本の柱状の脚部２４（１本は不図示）が立設されている。脚部２４は、地板７１に設けられた孔部７１ａに挿通されている。脚部２４は、地板７１の側方から挿通されたネジ７４により、地板７１に対して固定されている。また、下板２３は、その裏面に貼り付けられた両面テープを介して、文字板２１の表面に固定されている。これにより、文字板２１と地板７１とが固定されている。
【００３５】
以下、文字板２１の製造方法について説明する。なお、以下の説明における文字板２１の各構成部品の符号については、図３および図４を参照されたい。
最初に、金や銀、銅、軟鋼、黄銅、燐青銅、洋白、ステンレス鋼等の金属材料により円板状に形成された金属部材に対して切削加工等を行い、軸孔３１、収容部３３および各溝部３５，３６を有する基部３０の原形を形成する。なお、基部３０の原形は、鍛造加工により形成されてもよい。
【００３６】
次に、ガラス粉末に必要に応じて所望の着色材等を加えたもの、または所望の着色ガラス粉末を溶剤等に溶いてペースト状にした釉薬を、収容部３３に塗布する。なお、釉薬は、鉛を含有していてもよいし、鉛を含有していなくてもよい。
【００３７】
次に、釉薬が塗布された基部３０を例えば８００℃程度で焼成し、釉薬が含むガラスを溶解させる。その後、基部３０を自然冷却させてガラスを凝固させる。これにより、装飾部４０が収容部３３に配置された状態となる。
次に、基部３０の表裏面を装飾部４０とともに研磨する。
以上により、表裏面が平坦な文字板２１が形成される。
【００３８】
ここで、本実施形態では、基部３０のうち収容部３３以外の部分には、第１溝部３５および第２溝部３６が形成されている構成とした。
この構成によれば、基部に溝部が形成されていない構成と比較して、基部３０が各溝部３５，３６の両側部において薄肉となるので、各溝部３５，３６の両側部を弾性変形させることが可能となる。このため、基部３０において装飾部４０との熱膨張率の違いにより、上述した冷却後に基部３０に残留応力が生じた際に、各溝部３５，３６の両側部、本実施形態では特に各溝部３５，３６と収容部３３との間の部分が弾性変形することで残留応力が緩和される。これにより、文字板２１の反りや寸法変化等の変形や、外力が加わった際の破損を抑制できる。したがって、残留応力による変形や破損が抑制された高品質な文字板２１を提供できる。
【００３９】
また、基部３０に生じる残留応力は、基部３０と装飾部４０との境界部近傍においてより大きくなるので、装飾部４０が配置された収容部３３に沿うように形成された各溝部３５，３６により、残留応力を効果的に緩和することができる。したがって、残留応力による変形や破損をより確実に抑制できる。
【００４０】
また、各溝部３５，３６は、基部３０の表裏面にそれぞれ形成されているので、基部３０の表裏面それぞれにおいて残留応力を緩和できる。よって、板状の基部３０に反りが生じることを抑制できる。したがって、文字板２１の残留応力による変形を抑制できる。
【００４１】
また、各溝部３５，３６は、表裏対称に形成されているので、表裏面それぞれにおいて残留応力を均等に緩和できる。よって、板状の基部３０に反りが生じることをより確実に抑制できる。したがって、文字板２１の残留応力による変形をより確実に抑制できる。
【００４２】
また、基部３０は、金属材料により形成され、装飾部４０は、ガラス材料（着色ガラス）により形成されているので、文字板２１の装飾性を向上させることができる。したがって、外観意匠性の優れた文字板２１とすることができる。
【００４３】
そして、本実施形態の文字板ユニット２０、ムーブメント１０および時計１は、上述した構成を備えているので、高品質な文字板ユニット２０、ムーブメント１０および時計１を提供できる。
さらに、文字板２１の寸法変化が抑制されるので、文字板２１の寸法変化を吸収するためのＯリング等の部材を、文字板２１と時計ケース２との間に配置する必要がなくなる。これにより、時計１を構成する部材を削減でき、低コスト化することができる。
【００４４】
なお、本実施形態では、基部３０には、第１溝部３５および第２溝部３６が形成されているが、各溝部３５，３６のうち一方の溝部のみが形成されていてもよい。
また、本実施形態では、第１溝部３５および第２溝部３６が表裏対称に形成されているが、これに限定されず、表裏非対称に形成されていてもよい（以下の変形例でも同様）。
【００４５】
また、本実施形態では、収容部３３が基部３０の表裏面それぞれにおける略全面に１つ形成されているが、これに限定されず、収容部が基部の表裏面それぞれにおいて複数形成されていてもよい。以下、第１実施形態の第１変形例および第２変形例について説明する。
【００４６】
図５は、第１実施形態の第１変形例に係る文字板を裏側から見た平面図である。図６は、図５のＶＩ−ＶＩ線における断面図である。なお、図３および図４に示す第１実施形態と同様の構成については、同一符号を付して詳細な説明を省略する（以下の変形例および実施形態でも同様）。
図５および図６に示すように、第１実施形態の第１変形例に係る文字板１２１（時計部品）は、基部１３０と、装飾部１４０と、を有している。文字板１２１は、表裏対称に形成されている。したがって、以下の説明では、特に記載のない限り主に基部１３０の裏面の構成について説明する。
【００４７】
基部１３０の裏面には、装飾部１４０が配置される収容部１３３Ａ，１３３Ｂが形成されている。収容部１３３Ａは、３個設けられている。収容部１３３Ａは、それぞれ平面視で円形状に形成され、基部１３０の周方向に沿って等間隔に設けられている。収容部１３３Ｂは、各収容部１３３Ａに対して所定の間隔をあけて避けつつ、各収容部１３３Ａの周囲を埋めるように円環状に形成されている。各収容部１３３Ａ，１３３Ｂの深さは、それぞれ同等であって、基部１３０の厚さの半分未満となっている。
各装飾部１４０は、それぞれ異なる色の着色ガラスにより形成されていてもよいし、同色の着色ガラスにより形成されていてもよい。
【００４８】
基部１３０における収容部１３３Ｂの径方向外側には、第１溝部１３５（溝部）が形成されている。また、基部１３０における収容部１３３Ｂの径方向内側には、第２溝部１３６（溝部）が形成されている。さらに、基部１３０における各収容部１３３Ａと収容部１３３Ｂとの間には、それぞれ第３溝部１３７が形成されている。各溝部１３５〜１３７の深さは、収容部１３３Ａ，１３３Ｂの深さと同等になっている。
【００４９】
このように、収容部１３３Ａ，１３３Ｂを複数設けることで、基部１３０の表裏面それぞれにおける各収容部１３３Ａ，１３３Ｂ間の部分がリブとなり、基部１３０の剛性を向上させることができる。そして、収容部１３３Ａ，１３３Ｂの周囲に溝部１３５〜１３７が形成されているので、リブに生じる残留応力を緩和することができる。したがって、残留応力による変形や破損が抑制された剛性の高い文字板１２１とすることができる。
【００５０】
図７は、第１実施形態の第２変形例に係る文字板を裏側から見た平面図である。
図７に示すように、第１実施形態の第２変形例に係る文字板２２１（時計部品）は、基部２３０と、装飾部２４０と、を有している。文字板２２１は、表裏対称に形成されている。したがって、以下の説明では、特に記載のない限り主に基部２３０の裏面の構成について説明する。
【００５１】
基部２３０の裏面には、装飾部２４０が配置される収容部２３３Ａ，２３３Ｂが形成されている。収容部２３３Ａは、６個設けられている。収容部２３３Ａは、それぞれ平面視で正六角形状に形成され、基部２３０の周方向に沿って等間隔に設けられている。収容部２３３Ｂは、各収容部２３３Ａに対して所定の間隔をあけて避けつつ、各収容部２３３Ａの周囲を埋めるように、各収容部２３３Ａの径方向外側および径方向内側にそれぞれ設けられている。各収容部２３３Ｂは、隣り合う収容部２３３Ａの形状に沿うように、三角形状に形成されている。各収容部２３３Ａ，２３３Ｂの深さは、それぞれ同等であって、基部２３０の厚さの半分未満となっている。
各装飾部２４０は、それぞれ異なる色の着色ガラスにより形成されていてもよいし、同色の着色ガラスにより形成されていてもよい。
【００５２】
基部２３０における収容部２３３Ａの周囲には、収容部２３３Ａに沿って溝部２３５が形成されている。溝部２３５の深さは、収容部２３３Ａ，２３３Ｂの深さと同等になっている。
【００５３】
このように、収容部２３３Ａ，２３３Ｂを複数設けることで、上述した第１実施形態の第１変形例と同様に、基部２３０の剛性を向上させることができる。特に本変形例では、リブがハニカム状に形成されるので、基部２３０の剛性をより向上させることができる。そして、収容部２３３Ａの周囲に溝部２３５が形成されているので、リブの部分に生じる残留応力を緩和することができる。したがって、残留応力による変形や破損が抑制された剛性の高い文字板２２１とすることができる。
【００５４】
［第２実施形態］
次に、第２実施形態の文字板３２１（時計部品）について説明する。
図８は、第２実施形態に係る文字板の中心軸に沿う縦断面図である。
図４に示す第１実施形態では、各溝部３５，３６が表裏対称に形成されている。これに対して、図８に示す第２実施形態では、第１溝部３３５（溝部）および第２溝部３３６（溝部）が表裏面のうちいずれか一方の面に形成されている点で、第１実施形態と異なっている。
【００５５】
図８に示すように、第１溝部３３５は、裏側の収容部３３の径方向外側において、収容部３３の外周に沿って形成されている。第１溝部３３５は、第１実施形態における第１溝部３５（図４参照）と同様に、ベゼル６により裏側から覆われ、時計１の外側から風防７を介して視認できない位置に形成されている（図２参照）。第１溝部３３５は、縦断面視で深さ方向に先細るＶ字状に凹んでいる。第１溝部３３５の深さは、基部３３０の厚さの半分よりも深く、かつ基部３３０の厚さ方向で表側の収容部３３の一部と重なるようになっている。
【００５６】
第２溝部３３６は、表側の収容部３３の径方向内側において、収容部３３の内周に沿って形成されている。第２溝部３３６は、縦断面視で深さ方向に先細るＵ字状に凹んでいる。第２溝部３３６の深さは、基部３３０の厚さの半分よりも深く、かつ基部３３０の厚さ方向で裏側の収容部３３の一部と重なるようになっている。
【００５７】
このように、第２溝部３３６を基部３３０の表面に形成することで、文字板３２１の意匠面（裏面）に形成される溝部を少なくして、文字板３２１の外観意匠性を向上させることができる。
しかも、本実施形態のように、各溝部３３５，３３６が基部３３０の表裏面のうちいずれか一方の面に形成されている場合であっても、各溝部３３５，３３６が基部３３０の厚さ方向で他方の面側の収容部３３の一部と重なることで、各溝部３３５，３３６と表裏面それぞれの各収容部３３との間の部分を薄肉とすることができる。このため、基部３３０において装飾部４０との熱膨張率の差により基部３３０に残留応力が生じた際に、各溝部３３５，３３６と各収容部３３との間の部分が弾性変形することで残留応力が緩和される。したがって、残留応力による変形や破損が抑制された文字板３２１を提供できる。
【００５８】
［第３実施形態］
次に、第３実施形態の文字板４２１（時計部品）について説明する。
図９は、第３実施形態に係る文字板を裏側から見た平面図である。
図３に示す第１実施形態では、各溝部３５，３６は、基部３０を貫通していない。これに対して、図９に示す第３実施形態では、溝部４３５は基部４３０をその厚さ方向に貫通している点で、第１実施形態と異なっている。
【００５９】
図９に示すように、基部４３０における収容部３３の径方向外側（基部４３０の外周部）には、４個の溝部４３５が形成されている。４個の溝部４３５は、周方向に並んで形成されている。各溝部４３５は、基部４３０の外周部における内周寄りの部分を周方向に沿って延びる内側部４３５ａと、基部４３０の外周部における外周寄りの部分を周方向に沿って延びる外側部４３５ｂと、内側部４３５ａの一端部と外側部４３５ｂの他端部とを接続する接続部４３５ｃと、を有する。内側部４３５ａの一端部と外側部４３５ｂの他端部とは、周方向における同じ位置に形成されている。周方向で隣り合う一対の溝部４３５は、一方の溝部４３５の内側部４３５ａと、他方の溝部４３５の外側部４３５ｂと、が基部４３０の径方向から見て重なるように形成されている。これにより、基部４３０には、その中心から見ていずれの周方向位置においても、溝部４３５が形成されている状態となっている。
【００６０】
このように、本実施形態では、溝部４３５が基部４３０を貫通しているので、溝部４３５の貫通方向（基部４３０の厚さ方向）におけるいずれの位置においても基部４３０に生じる残留応力を緩和することできる。したがって、残留応力による変形や破損がより確実に抑制された文字板４２１を提供できる。
【００６１】
なお、本発明は、図面を参照して説明した上述の実施形態に限定されるものではなく、その技術的範囲において様々な変形例が考えられる。
例えば、上記各実施形態においては、機械式時計を例にして説明したが、これに限定されず、例えば、クオーツ時計（いわゆるアナログ式クオーツ時計およびデジタル式クオーツ時計等を含む）に本発明を採用してもよい。
【００６２】
また、上記各実施形態においては、基部３０，１３０，２３０，３３０，４３０を円板状としているが、これに限定されず、任意の形状であってもよい。
また、上記各実施形態においては、軸孔３１の位置を基部３０，１３０，２３０，３３０，４３０の中心としているが、これに限定されず、任意の位置であってもよい。
また、上記各実施形態における各溝部の断面視形状は、任意の形状であってもよく、例えば第２実施形態における溝部３３５，３３６の形状（Ｕ字状およびＶ字状）を、基部の厚さの半分未満とした上で他の実施形態へ適用してもよい。
【００６３】
また、上記各実施形態においては、各装飾部を着色ガラスとしているが、これに限定されず、無色のガラスであってもよい。
また、上記各実施形態においては、各収容部が文字板の基部の表裏面それぞれに表裏対称に形成され、これにより装飾部が表裏対称に配置されているが、これに限定されず、装飾部は、表裏非対称（例えば文字板の裏面（意匠面）のみ）に配置されていてもよい。
【００６４】
また、上記各実施形態においては、溝部が基部の表裏面において収容部に沿って形成されているが、これに限定されるものではない。溝部は、基部のうち収容部以外の部分に形成されていればよく、例えば基部の側面（外周面）に形成されていてもよい。
【００６５】
その他、本発明の趣旨を逸脱しない範囲で、上記した実施の形態における構成要素を周知の構成要素に置き換えることは適宜可能である。
【符号の説明】
【００６６】
１…時計  １０…ムーブメント  ２０…文字板ユニット  ２１，１２１，２２１，３２１，４２１…文字板（時計部品）  ３０，１３０，２３０，３３０，４３０…基部  ３３，１３３Ａ，１３３Ｂ，２３３Ａ，２３３Ｂ…収容部  ３５，１３５，３３５…第１溝部（溝部）  ３６，１３６，３３６…第２溝部（溝部）  ４０，１４０，２４０…装飾部  １３７…第３溝部（溝部）  ２３５，４３５…溝部
【図１】
2017161297.tif 000003
【図２】
2017161297.tif 000004
【図３】
2017161297.tif 000005
【図４】
2017161297.tif 000006
【図５】
2017161297.tif 000007
【図６】
2017161297.tif 000008
【図７】
2017161297.tif 000009
【図８】
2017161297.tif 000010
【図９】
2017161297.tif 000011
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
凹んだ収容部を有する基部と、
前記基部とは異なる熱膨張率を有する材料により形成され、前記収容部に配置された装飾部と、
を備え、
前記基部のうち前記収容部以外の部分には、前記基部に生じる応力を緩和する溝部が形成され、
前記溝部は、前記収容部の周囲の全周に形成されている、
ことを特徴とする時計部品。
【請求項２】
凹んだ収容部を有する基部と、
前記基部とは異なる熱膨張率を有する材料により形成され、前記収容部に配置された装飾部と、
を備え、
前記基部のうち前記収容部以外の部分には、前記基部に生じる応力を緩和する溝部が形成され、
前記収容部は、前記基部の少なくとも一方の主面上に間隔をあけて複数設けられている、
ことを特徴とする時計部品。
【請求項３】
凹んだ収容部を有する基部と、
前記基部とは異なる熱膨張率を有する材料により形成され、前記収容部に配置された装飾部と、
を備え、
前記基部のうち前記収容部以外の部分には、前記基部に生じる応力を緩和する溝部が形成され、
前記溝部は、前記基部を貫通し、
前記基部には、前記収容部から見て、前記収容部の周囲におけるいずれの位置においても前記溝部が形成されている、
ことを特徴とする時計部品。
【請求項４】
前記溝部は、前記収容部に沿うように形成されている、
ことを特徴とする請求項１から３のいずれか１項に記載の時計部品。
【請求項５】
前記基部は、板状に形成され、
前記溝部は、前記基部の表裏面にそれぞれ形成されている、
ことを特徴とする請求項１から４のいずれか１項に記載の時計部品。
【請求項６】
前記溝部は、表裏対称に形成されている、
ことを特徴とする請求項５に記載の時計部品。
【請求項７】
前記溝部は、前記基部を貫通している、
ことを特徴とする請求項１から６のいずれか１項に記載の時計部品。
【請求項８】
前記基部は、金属材料により形成され、
前記装飾部は、ガラス材料により形成されている、
ことを特徴とする請求項１から７のいずれか１項に記載の時計部品。
【請求項９】
請求項１から８のいずれか１項に記載の時計部品を備えることを特徴とする文字板。
【請求項１０】
請求項９に記載の文字板と、
前記文字板が取り付けられた下板と、
を備えることを特徴とする文字板ユニット。
【請求項１１】
請求項１０に記載の文字板ユニットを備えることを特徴とするムーブメント。
【請求項１２】
請求項１１に記載のムーブメントを備えることを特徴とする時計。
【手続補正２】
【補正対象書類名】明細書
【補正対象項目名】０００６
【補正方法】変更
【補正の内容】
【０００６】
本発明の時計部品は、凹んだ収容部を有する基部と、前記基部とは異なる熱膨張率を有する材料により形成され、前記収容部に配置された装飾部と、を備え、前記基部のうち前記収容部以外の部分には、前記基部に生じる応力を緩和する溝部が形成され、前記溝部は、前記収容部の周囲の全周に形成されている、ことを特徴とする。
本発明の時計部品は、凹んだ収容部を有する基部と、前記基部とは異なる熱膨張率を有する材料により形成され、前記収容部に配置された装飾部と、を備え、前記基部のうち前記収容部以外の部分には、前記基部に生じる応力を緩和する溝部が形成され、前記収容部は、前記基部の少なくとも一方の主面上に間隔をあけて複数設けられている、ことを特徴とする。
本発明の時計部品は、凹んだ収容部を有する基部と、前記基部とは異なる熱膨張率を有する材料により形成され、前記収容部に配置された装飾部と、を備え、前記基部のうち前記収容部以外の部分には、前記基部に生じる応力を緩和する溝部が形成され、前記溝部は、前記基部を貫通し、前記基部には、前記収容部から見て、前記収容部の周囲におけるいずれの位置においても前記溝部が形成されている、ことを特徴とする。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
凹んだ収容部を有する基部と、
前記基部とは異なる熱膨張率を有する材料により形成され、前記収容部に配置された装飾部と、
を備え、
前記基部のうち前記収容部以外の部分には、前記基部に生じる応力を緩和する溝部が形成され、
前記溝部は、前記収容部の周囲の全周に形成されている、
ことを特徴とする時計部品。
【請求項２】
凹んだ収容部を有する基部と、
前記基部とは異なる熱膨張率を有する材料により形成され、前記収容部に配置された装飾部と、
を備え、
前記基部のうち前記収容部以外の部分には、前記基部に生じる応力を緩和する溝部が形成され、
前記溝部は、前記基部を貫通し、
前記基部には、前記収容部から見て、前記収容部の周囲におけるいずれの位置においても前記溝部が形成されている、
ことを特徴とする時計部品。
【請求項３】
前記溝部は、前記収容部に沿うように形成されている、
ことを特徴とする請求項１または２に記載の時計部品。
【請求項４】
前記基部は、板状に形成され、
前記溝部は、前記基部の表裏面にそれぞれ形成されている、
ことを特徴とする請求項１から３のいずれか１項に記載の時計部品。
【請求項５】
前記溝部は、表裏対称に形成されている、
ことを特徴とする請求項４に記載の時計部品。
【請求項６】
前記溝部は、前記基部を貫通している、
ことを特徴とする請求項１から５のいずれか１項に記載の時計部品。
【請求項７】
前記基部は、金属材料により形成され、
前記装飾部は、ガラス材料により形成されている、
ことを特徴とする請求項１から６のいずれか１項に記載の時計部品。
【請求項８】
請求項１から７のいずれか１項に記載の時計部品を備えることを特徴とする文字板。
【請求項９】
請求項８に記載の文字板と、
前記文字板が取り付けられた下板と、
を備えることを特徴とする文字板ユニット。
【請求項１０】
請求項９に記載の文字板ユニットを備えることを特徴とするムーブメント。
【請求項１１】
請求項１０に記載のムーブメントを備えることを特徴とする時計。
【手続補正２】
【補正対象書類名】明細書
【補正対象項目名】０００６
【補正方法】変更
【補正の内容】
【０００６】
本発明の時計部品は、凹んだ収容部を有する基部と、前記基部とは異なる熱膨張率を有する材料により形成され、前記収容部に配置された装飾部と、を備え、前記基部のうち前記収容部以外の部分には、前記基部に生じる応力を緩和する溝部が形成され、前記溝部は、前記収容部の周囲の全周に形成されている、ことを特徴とする。
本発明の時計部品は、凹んだ収容部を有する基部と、前記基部とは異なる熱膨張率を有する材料により形成され、前記収容部に配置された装飾部と、を備え、前記基部のうち前記収容部以外の部分には、前記基部に生じる応力を緩和する溝部が形成され、前記溝部は、前記基部を貫通し、前記基部には、前記収容部から見て、前記収容部の周囲におけるいずれの位置においても前記溝部が形成されている、ことを特徴とする。